(57)【要約】【課題】上衣にズボンの重みが作用せず、両肩には上衣の重みのみかかり動き易く、暑いときに上衣を脱いでもズボンがずれ落ちることがないつなぎ服を提供すること。【解決手段】つなぎ服１は、上衣２とズボン３とが一体で上衣２の一部を開いて着衣する構成であり、上衣２の内側に、着衣者の両肩に掛けてズボン３の前側上端部と後側上端部とを吊る一対のサスペンダー４を備えている。【選択図】図１
2014055364.tif 000002
【特許請求の範囲】
【請求項１】
上衣とズボンとが一体で前記上衣の一部を開いて着衣する構成であり、前記上衣の内側に、着衣者の両肩に掛けて前記ズボンの前側上端部と後側上端部とを吊る一対のサスペンダーを備えていることを特徴とするつなぎ服。
【請求項２】
前記一対のサスペンダーの前側の下端と前記ズボンの前側上端部とに取り外し可能な連結具を備え、前記一対のサスペンダーの後側の下端と前記ズボンの後側上端部とが一体に接続されている請求項１に記載のつなぎ服。
【請求項３】
前記一対のサスペンダーの前側の下端と前記ズボンの前側上端部とに取り外し可能な連結具を備えていると共に、前記一対のサスペンダーの後側の下端と前記ズボンの後側上端部とに取り外し可能な連結具を備えている請求項１に記載のつなぎ服。
【請求項４】
前記上衣の内側に前記ズボンの後側上端部より立ち上がり着用者の背部を覆う背当部を有し、前記背当部に前記一対のサスペンダーの後側の下端が連結されている請求項１乃至３のいずれかに記載のつなぎ服。
【発明の詳細な説明】
【技術分野】
【０００１】
本発明は、ズボンと上衣とが一体であり前開きで着用するつなぎ服に関する。
【背景技術】
【０００２】
つなぎ服として、例えば、着用者の身体サイズよりも大き目の作業服や、作業者の身体にフィットした作業服でも容易に着脱が可能となり、しかも被着後の通風性をも付与可能にした作業服が提案されている（特許文献１）。
【先行技術文献】
【特許文献】
【０００３】
【特許文献１】特開２００３−１５５６１４号公報
【発明の概要】
【発明が解決しようとする課題】
【０００４】
しかし、従来のつなぎ服は、上衣がズボンの重みで下へ引っ張られ両肩に上衣の重みに加えてズボンの重みがかかるので、動きにくくて肩が凝り易く、暑いときに上衣を脱ごうとするとズボンがずれ落ちるので上衣を脱ぐことができないという問題点がある。
【０００５】
本発明は、上述した点に鑑み案出されたもので、上衣にズボンの重みが作用せず、両肩には上衣の重みのみかかり動き易く、暑いときに上衣を脱いでもズボンがずれ落ちることがないつなぎ服を提供することを目的としている。
【課題を解決するための手段】
【０００６】
上記目的を達成するために、本発明の第１の態様のつなぎ服は、上衣とズボンとが一体で前記上衣の一部を開いて着衣する構成であり、前記上衣の内側に、着衣者の両肩に掛けて前記ズボンの前側上端部と後側上端部とを吊る一対のサスペンダーを備えていることを特徴とする。この態様によれば、一対のサスペンダーによりズボンを吊りズボンの重みを上衣の重みと切り離して両肩にかかるようにしたので、上衣が軽く身体状半部が動き易く、暑いときに上衣を脱いでもズボンがずれ落ちることがない。
【０００７】
第２の態様は、前記一対のサスペンダーの前側の下端と前記ズボンの前側上端部とに取り外し可能な連結具を備え、前記一対のサスペンダーの後側の下端と前記ズボンの後側上端部とが一体に接続されている構成である。この態様によれば、一対のサスペンダーの前側の下端をズボンから取り外せるので、つなぎ服の着脱が容易にできる利便性を有する。
【０００８】
第３の態様は、前記一対のサスペンダーの前側の下端と前記ズボンの前側上端部とに取り外し可能な連結具を備えていると共に、前記一対のサスペンダーの後側の下端と前記ズボンの後側上端部とに取り外し可能な連結具を備えている構成である。この態様によれば、一対のサスペンダーの前側と後側の下端をズボンから取り外せるので、つなぎ服の着脱が容易にできることに加えて洗濯し易い利便性を有する。
【０００９】
第４の態様は、前記上衣の内側に前記ズボンの後側上端部より立ち上がり着用者の背部を覆う背当部を有し、前記背当部に前記一対のサスペンダーの後側の下端が連結されている構成である。この態様によれば、上衣を脱いだ時に、背当部が着用者の背部を覆って保護し、一対のサスペンダーがズボンを吊った状態になる。
【発明の効果】
【００１０】
本発明によれば、上衣にズボンの重みが作用せず、両肩には上衣の重みのみかかり動き易く、暑いときに上衣を脱いでもズボンがずれ落ちることがない。
【図面の簡単な説明】
【００１１】
【図１】本発明の実施形態に係るつなぎ服の正面図である。
【図２】図１のつなぎ服の背面図である。
【図３】図１のつなぎ服の着用状態を示す正面図である。
【図４】図１のつなぎ服の上衣を脱いで腰に巻いた着用状態を示す正面図である。
【発明を実施するための形態】
【００１２】
以下、本発明の実施形態に係るつなぎ服について図面を参照して説明する。
図１と図２は、つなぎ服の正面図と背面図を示す。図３と図４は、つなぎ服の着用状態の正面図と上衣を脱いだ着用状態の正面図を示す。このつなぎ服１は、上衣２とズボン３とが一体で上衣２の一部を開いて着衣する構成である。着衣の開閉部には、スライドファスナー具・面ファスナー具・チャック具・フック具・ドットボタン具等を備えている。上衣２の内側に、着衣者の両肩に掛けてズボン３の前側上端部と後側上端部とを吊る一対のサスペンダー４を備えている。
【００１３】
このつなぎ服１は、上衣２の内側に、ズボン３の後側上端部より立ち上がり着用者の背部を覆う背当部４を有すると共に、着衣者の両肩に掛けてズボン３の前側上端部の２箇所と背当部４の上端部の２箇所の計４箇所を吊る一対のサスペンダー５を備えている。
【００１４】
このつなぎ服１は、一対のサスペンダー５の後側の下端と背当部４の上端部が一体に縫い合わされている。なお、背当部４は無くてもよく、背当部４を設けないときは、一対のサスペンダー５の後側の下端とズボン３の後側の上端が一体に縫い合わされている。
【００１５】
このつなぎ服１は、一対のサスペンダー５の前側の下端とズボンの前側上端部とに取り外し可能な連結具６を備えている。連結具６は、フック具、ドットボタン、あるいはクランプ式連結具等であってよい。
【００１６】
このつなぎ服１によれば、一対のサスペンダー５によりズボン３を吊りズボン３の重みを上衣２の重みと切り離して両肩にかかるようにしたので、上衣２が軽く身体状半部が動き易く、暑いときに上衣２を脱いでもズボンがずれ落ちることがない。上衣２を脱いだ時に、背当部４が着用者の背部を覆って保護し、一対のサスペンダー５がズボン３を吊った状態になる。また、一対のサスペンダー５の前側の下端をズボン３から取り外せるので、つなぎ服の着脱が容易にできる利便性を有する。
【００１７】
本発明のつなぎ服は、上記実施形態の構成に限定されない。一対のサスペンダー５の後側の下端と背当部４の上端部とに取り外し可能な連結具を備えてもよい。また、一対のサスペンダー５の前側の下端とズボンの前側上端部とが一体に縫い合わされていてもよい。また、このつなぎ服１は、上衣２の下端部がズボン３の上端部の外側に被さって両者間を繋ぐマチ７が備えられていてもよい。さらに、一対のサスペンダー５の後側の下端と、ズボン３の後側上端部又は背当部の上端部の少なくともいずれか一方に取り付けられ両者を取り外し可能に連結する連結具を備えている構成にすると、つなぎ服の着脱が容易にできることに加えて洗濯し易い利便性を有する。
【符号の説明】
【００１８】
１  つなぎ服
２  上衣
３  ズボン
４  背当部
５  サスペンダー
６  連結具
７  マチ
【図１】
2014055364.tif 000003
【図２】
2014055364.tif 000004
【図３】
2014055364.tif 000005
【図４】
2014055364.tif 000006